(57)【要約】      （修正有）【課題】側面部材，底部材を共有する同じ抽斗部材を直角な２方向に引き出し可能な収納具を提供する。【解決手段】平面形状が四角形状をなし、直交する２つの側面部材が一体として夫々、引き出し容易な引き手部を有して前板１ａ，１ｂに形成され、該前板１ａ，１ｂの直交交叉部内部にシャフト３が立設されると共に、該前板内部にシャフトの摺動空隙部を存して仕切壁が形成されている。一方、他の２つの側面部材１ｃ，１ｄが直交する平板状部材により形成され、かつ上記両側面部材で囲まれた空間内部に底部材４を有する抽斗部材１１を、前記平板状側面部材１ｃ，１ｄに対応して直交する２つの側枠部材１０で形成された収納空間内に配設された底板１１を介して積層し、前記底板１１上に直交する２方向に形成した溝１２に抽斗部材１１の底部材４下面に設けた突出部５を嵌係合させ、シャフトを軸として直交２方向に引き出し可能とした。【選択図】図２
0003149698.tif 000002
【実用新案登録請求の範囲】
【請求項１】
平面形状が四角形状をなし、直交する２つの側面部材が一体として夫々、引き出し容易な引き手部を有して前板に形成され、該前板の直交交叉部内部にシャフトが立設されると共に、該前板内部にシャフトの摺動する空隙部を存して仕切壁が形成されている一方、他の２つの側面部材が直交する平板状部材により形成され、かつ上記両側面部材で囲まれた空間内部に底部材４を有してボックス構成されてなる抽斗部材１を、前記平板状側面部材に対応して直交する２つの側枠部材で形成された収納空間内に、該側枠部材より収納空間内に突き出し配設された底板を介して、複数個積層してなり、積層された各抽斗部材は底板上に直交する２方向に形成された溝に抽斗部材の底部材下面に設けた突出部を嵌係合することにより、直交する２方向に夫々引き手部により同じボックス構造を有して引き出し可能であることを特徴とする直角２方向に引き出し可能な収納具。
【請求項２】
引き出し容易な引き手部を有する前板が、上部が幅広で、下方へ向けて内方へ傾斜する斜壁前板である請求項１記載の直角２方向に引き出し可能な収納具。
【請求項３】
引き出し容易な引き手部を有する前板が同幅平板よりなる前板で直交交叉部において互いに交叉して外方に突き出た突出縁を形成している請求項１記載の直角２方向に引き出し可能な収納具。
【考案の詳細な説明】
【技術分野】
【０００１】
本考案は家庭内や事務所等において物品を収納する収納具に係り、特に２方向に引き出し可能で、前板が２方向一体型の抽斗収納具に関するものである。
【背景技術】
【０００２】
家庭内や事務所等で使用されている抽斗収納具は収納ボックスを一方向のみに引き出し得るようになっているのが従来一般的である。しかし、このような一方向のみに引き出せるものでは上段を引き出すと下段の収納ボックスは隠れてそのままの状態では使用し難い難点があった。そこで、このような難点を解決するため直角２方向に引き出し得るようにした抽斗収納具が提案されている。（例えば特許文献１，２参照）
ところが、上記提案された直角２方向への引き出し可能な収納具は、何れも４本の支柱あるいは対向するパネルにより囲まれた収納空間の底板上に前板が２方向各別個で底板が２方向別々の二重構造になっている抽斗ボックスを載置し、収納空間を前側と一側で開口して各開口に向けて該ボックスを移動自在となるようにした構造であり、抽斗ボックス本体と支柱あるいはパネルとは別体となっていて、レール部材やスライド枠などを必要とすると共に、ボックスが２個重なった状態を呈して構造が複雑となって家庭内あるいは事務所等において必らずしも充分とは云えなかった。
【先行技術文献】
【特許文献】
【０００３】
【特許文献１】特開平９−２３８７６４号公報
【特許文献２】特開平１０−２７６８４６号公報
【考案の概要】
【考案が解決しようとする課題】
【０００４】
本考案は上述の如き実状に対処し、より構造の簡略化を図るべく、支柱，パネル等をなくし、抽斗本体（以下、抽斗部材という）そのものを直接、直角２方向に引き出し得るようにして構造の簡略化と使用者の利用性を向上せしめることを目的とするものである。
【課題を解決するための手段】
【０００５】
即ち、上記目的に適合する本考案の特徴は、平面形状が四角形状をなし、直交する２つの側面部材が一体として夫々、引き出し容易な引き手部を有して前板に形成され、該前板の直交交叉部内部にシャフトが立設されると共に、該内部にシャフトの摺動する空隙部を存して仕切壁が形成される一方、他の2つの側面部材が直交する平板状部材により形成されて、上記両側面部材で囲まれた空間内部に底部材を有してボックス構成されてなる抽斗部材を、前記平板状側面部材に対応して直交する2つの側枠部材で形成された収納空間内に、該側枠部材より収納空間内に突き出し配設された底板を介して、複数個積層してなり、積層された各抽斗部材は底板上に直交する２方向に形成された溝に抽斗部材の底部材下面に設けた突出部を嵌係合することにより、直交する２方向に夫々の引き手部により同じボックス構造を有して引き出し可能である直角２方向に引き出し可能な収納具である。
【０００６】
ここで引き出し容易な引き手部を有する前板としては上部が幅広で、下方へ向けて内方へ傾斜する斜壁前板としてもよく、また同幅平板で直交する交叉部に互いに交叉して外方に突き出た突出縁を形成した前板としても良い。これらは夫々の外観を考慮して適合するように選定することが好ましい。
【考案の効果】
【０００７】
上記本考案収納具は引き手部により抽斗部材をシャフトを軸として直角２方向に夫々同じ側面部材、底部材を備えたまま引き出すことが可能となり、左右に引き出される抽斗部材に夫々別々に底板を設けることがないため、抽斗部材の構造が簡単になると共に、従来の如き支柱による四角形状の枠の必要もなく、また、直交する斜壁前板による収納具の外観も美麗となり、実用上、ならびに外観上、極めて効果的である。
【図面の簡単な説明】
【０００８】
【図１】本考案に係る収納具の積層状態外観図である。
【図２】上記図１の収納具の一部省略断面概要図である。
【図３】図１のｃ−ｃ断面における抽斗部材の平面図である。
【図４】底板の溝配置を示す平面図である。
【図５】抽斗部材を２方向に引き出した状態を示す説明図である。
【図６】本考案に係る収納具の別形態例を示す引き出し状態を示す図である。
【考案を実施するための形態】
【０００９】
以下、更に添付図面を参照し本考案収納具の具体的形態について詳述する。図１は本考案に係る収納具の１態様の積層状態外観図、図２は同収納具の断面図、図３は各抽斗部材の平面図であり、これら図において１は抽斗部材を示し、該抽斗部材１は図２，図３に示す如く平面形状が四角形状をなし、その直交する２つの側面部材１ａ，１ｂが図２に示す如く一定に連なって内方に傾斜する斜壁前板に形成され、該斜壁前板の直交する交叉部内部にシャフト３が立設されていると共に、該斜壁前板の内部にはシャフトの摺動する空隙部ａ，ｂを存して仕切壁２ａ，２ｂが形成されている。
【００１０】
一方、四角形状抽斗部材１の前記斜壁前板の残りの２つの側面部材１ｃ，１ｄは直交する平板状部材で形成されていて、前記斜壁前板をなす側面部材内部の仕切壁２ａ，２ｂと共に収納空間部を形成し、その底部に底部材４が設けられて各抽斗部材１のボックスを形成している。
【００１１】
図１，図２は上記の如き構成をもつ各抽斗部材１が積層された状態を示し、積層に当たっては、前記抽斗部材１の平面状側面部材１ｃ，１ｄに対応する如く互いに直交して収納空間を作るよう形成された側枠部材１０が使用され、該側枠部材１０内部の収納空間内に側枠部材より突き出して底板１１を配設して、該底板を介して図示の如く抽斗部材１を積層するようになっている。
【００１２】
底板１１にはその表面に図４に示すように抽斗部材の摺動を容易ならしめるための溝１２が引き出す方向に向け縦横直交して２方向に穿設されていて、前記抽斗部材底面に戸車その他の突出部５を設けることによって互いに係嵌合させ、斜壁前板上部に手を掛けて引き手として溝に沿って抽斗部材１を直角２方向に引き出し得るようになっている。この場合、直角に引き出される抽斗部材１は引き出し方向が異なるだけで斜壁前板ならびに仕切壁を有して他の平面状部材と共に同じ底部材を有するボックス構造である点に何ら異なるところはない。即ち、同じ収納ボックス構造を有する抽斗部材が直角２方向にシャフトを軸に動いて引き出されることになり、本考案の重要な特徴をなしている。
【００１３】
図６は上記収納具が前板を斜壁前板として上部幅広部に手を掛けて抽斗部材を引き出すのに対し、抽斗部材６を前板６ａ，６ｂに上下にわたる斜壁を形成することなく、平坦として直交交叉部を作り、互いに交叉して突出する突出縁７を形成した構成よりなり、この場合には交叉して突出した夫々の突出縁７に手を掛けて引き手として抽斗部材６を直角２方向に容易に引き出すことができる。なお、上記の外、抽斗部材の形状は引き手を有し、引き出し容易であれば上記形態に拘束されるものではない。
【００１４】
かくして、以上のようにして本考案収納箱は同じ構造の抽斗部材を図１の如く前板を揃えて積層することにより、図５及び図６に示すように各段毎に異なる２方向に引き出すことができることはもとより、１つの抽斗部材において異なる２方向に随時、引き出すことができ、収納箱を部屋内あるいは事務所等において配置し使用する上に頗る便利であり、実用が極めて大である。
【符号の説明】
【００１５】
１：抽斗部材
１ａ，１ｂ：斜壁前板の側面部材
１ｃ，１ｄ：平面状側面部材
２ａ，２ｂ：仕切壁
３：シャフト
４：底部材
５：突出部
６ａ，６ｂ：前板
７：突出縁
１０：側枠部材
１１：底板
１２：溝
１３：突起
【図１】
0003149698.tif 000003
【図２】
0003149698.tif 000004
【図３】
0003149698.tif 000005
【図４】
0003149698.tif 000006
【図５】
0003149698.tif 000007
【図６】
0003149698.tif 000008